(57)【要約】【課題】操作性や携帯性に優れるタモ枠を提供する。【解決手段】タモ枠とタモ柄を連結するタモ柄連結部材６８は軸７２を挟んだ位置に形成された２つの窪み７６、７８の何れかと球体８４が係合することで本体部６２に対して固定することができる。これによりタモ枠はタモ柄に連結したままの状態でコンパクトに折り畳むことができる。球体８４はストッパー部材８６によって窪み７８との係合状態が維持されているため、タモ枠１４の向きを変えるときにはボタン部９２を指で押し、ストッパー部材８６を移動させることで係合を解除する。【選択図】図５
2013230118.tif 000002
【特許請求の範囲】
【請求項１】
本体部と、
タモ網枠と、
前記本体部の一端側に前記タモ網枠を固定するタモ網枠固定部材と、
前記本体部の他端側に変位可能に軸支されたタモ柄連結部材と、
前記タモ柄連結部材を使用位置と収納位置の２箇所で固定するタモ柄連結部材固定手段、
を備えたタモ枠。
【請求項２】
前記タモ柄連結部材固定手段が、前記本体部の他端側に形成された平面部と、前記タモ柄連結部材に装着された座金により構成された、
請求項１に記載のタモ枠。
【請求項３】
前記平面部が、前記本体部の前記タモ網枠が固定された側の面とその反対側の面にそれぞれ形成された、
請求項２に記載のタモ枠。
【請求項４】
前記タモ柄連結部材固定手段が、前記タモ柄連結部材に形成された窪みと、前記本体部の内部で前記窪みと係合する位置としない位置とに移動可能な係合部材と、前記係合部材を前記窪みと係合する位置に固定する係合部材固定手段により構成された、
請求項１に記載のタモ枠。
【発明の詳細な説明】
【技術分野】
【０００１】
本発明は、タモ枠の構造に関する。
【背景技術】
【０００２】
タモ枠は釣竿に掛かった魚を掬い上げる際に用いられる釣り用具の一つである。タモ枠は伸縮式のタモ柄に取り付けられた状態で使用されることが一般的であり、釣り場を求めて移動するときや待機中はタモ柄を短く縮めて背負い、魚を釣り上げたときには長く伸ばして水中の魚を掬い上げる。タモ枠とタモ柄は分離不能に一体となった構造のものもあるが、多くは専用の連結具を用いて必要に応じて分離できるように構成されている（特許文献１、２参照）。
【先行技術文献】
【特許文献】
【０００３】
【特許文献１】特開２００４−８１１４１号公報
【特許文献２】特開２００５−７３６７１号公報
【発明の概要】
【発明が解決しようとする課題】
【０００４】
多くの場合、魚を釣り上げたときには片方の手で釣竿を保持し、もう片方の手でタモ柄を扱うことになる。従ってタモ柄には片手で容易に取り扱うことができるだけの機能が求められている。また釣り上げた魚を掬い上げるときには一瞬の気の弛みもなく作業に集中しなければならないため、操作に手間取るようなことはあってはならない。さらにはタモ柄を必要とするのは魚を釣り上げたときだけであるため、それ以外の場面では作業の邪魔にならないようにしなければならない。
【０００５】
このようにタモ枠には魚を掬い上げるという本来の機能に加え、操作性や携帯性に優れるといった機能も求められている。本発明はこれらの機能を複合的に実現するタモ枠を提供することを目的としている。
【課題を解決するための手段】
【０００６】
本発明のタモ枠は、本体部と、タモ網枠と、前記本体部の一端側に前記タモ網枠を固定するタモ網枠固定部材と、前記本体部の他端側に変位可能に軸支されたタモ柄連結部材と、前記タモ柄連結部材を使用位置と収納位置の２箇所で固定するタモ柄連結部材固定手段、を備えている。
【０００７】
タモ網枠固定部材はタモ網枠を本体部に固定するための部材である。タモ網枠は魚を掬い上げるためのタモ網を装着するための枠であり、釣り上げた魚を枠内に捕獲することができるだけの内径を備えている。枠の形状は円形、楕円形、多角形など特定のものに限定されない様々な形状を採用することができる。
【０００８】
タモ柄連結部材はタモ柄を本体部に連結するための部材である。タモ柄は一般には伸縮自在の棒状体であり、先端にタモ枠を連結して使用される。連結方法は特定の方法に限定されないが、一般にタモ柄の先端には連結用の雌ねじが形成されているため、タモ柄連結部材にはこれに螺合する雄ねじを形成することが多い。
【０００９】
本体部に軸支されているタモ柄連結部材は本体部に対して変位可能であり、使用時の位置と収納時の位置の２箇所で固定することができる。収納時はタモ網枠をタモ柄側に折り曲げることで全長を短くすることができる。この機能により、タモ枠を捕獲に使用しない移動時や保管時などにはタモ枠とタモ柄を分離しなくてもコンパクトに収納することができるようになる。また全長が短くなることで他の物体との接触事故を未然に回避しやすくなり、タモ枠やタモ柄との連結部分を破損や変形などから保護することができる。
【００１０】
タモ網枠固定部材とタモ柄連結部材の位置に高低差を設けることでタモ枠の重心がタモ網枠側寄りとなり、タモ網枠の姿勢が自然に安定するようになる。これにより魚の捕獲の際にタモ柄を無造作に伸ばしたときでもタモ網枠が捕獲に適した水平に近い姿勢となり、タモ網枠の向きを確認したり、水平姿勢に修正する必要がなくなるため、捕獲作業のみに集中することができ、釣り上げた魚を素早く確実に掬い上げることができるようになる。
【発明の効果】
【００１１】
魚を釣り上げる際に地獄と呼ばれる柔らかい顎の極の部分に針が掛かると魚は逃げられないが、上顎などの硬い部分に掛かると、捕獲時に張った糸が緩んだ際に針が外れることがある。そのため釣り上げた魚は素早くタモ枠で掬い上げなければならない。本発明のタモ枠は向きの確認や修正の必要がなく、振り出すだけで魚の捕獲に最適な姿勢に維持されるので、釣り上げた魚を逃がすことなく捕獲することができる。
【図面の簡単な説明】
【００１２】
【図１】タモ枠の使用態様を示す側面図
【図２】タモ枠の使用態様を示す平面図
【図３】タモ枠の一実施形態を示す構造詳細図
【図４】図３の４−４断面図
【図５】タモ枠の他の実施形態を示す構造詳細図
【図６】図５の６−６断面図
【図７】タモ枠の他の実施形態を示す構構造図
【図８】図７の８−８断面図
【発明を実施するための形態】
【００１３】
本発明の実施の形態について図面を参照して説明する。図１はタモ網の側面図であり、使用時の形態と折り畳み時の形態を示している。タモ網１０はタモ柄１２とタモ枠１４で構成される。タモ柄１２は複数の径の異なる円筒体の多段構造による振出式の柄である。元部分１６を持って穂先部分１８を振り出すことで元部分１６に収納された複数の円筒体が順に伸び出し、タモ柄１２を所望の長さまで伸ばすことができる。
【００１４】
タモ枠１４はタモ網枠２０と連結部材２２で構成される。タモ網枠２０は連結部材２２の一端に固定されている。連結部材２２の他端はタモ柄１２の穂先部分１８と連結されている。タモ網枠２０には魚を捕獲するためのタモ網２４が装着されている。タモ網枠２０はタモ柄１２に対する角度を変えることが可能であり、位置ａおよび位置ｂの二箇所で固定することができる。タモ網１０の使用時にはタモ網枠２０を位置ａに固定する。このときタモ枠１４の重心はタモ柄１２の軸線上にはないため、タモ柄１２を振り出したときなどにタモ枠１４は重心がタモ柄１２の軸線上の真下に位置する向きに自然に姿勢を安定させる。そのため、魚の捕獲の際にタモ枠１４の向きを確認したり修正したりすることに気をとられることがなくなり、捕獲のみに専念することができる。タモ網１０の保管時やタモ網１０を背負ったまま移動する際などにはタモ網枠２０を位置ｂに固定することで場所をとらずにコンパクトに収納することができる。
【００１５】
タモ網枠２０は図２に示すように正八角形の形状をしており、八辺のうち一辺が連結部材２２に固定されている。タモ網枠の形状は一般には円形であるが、円形と面積が等しい正八角形であれば対向する辺と辺の距離が円の直径より短いため、タモ網枠２０の形状に正八角形を採用することでタモ網１０の全長と全幅を縮小することができ、全体をよりコンパクトにできるというメリットがある。また磯釣りのときなど岸壁や堤防等の水中構造物に付着した貝や蟹を餌として利用するときに、正八角形の一辺の直線部分で簡単に刮ぎ取ることができる。
【００１６】
次に連結部材の詳細構造について説明する。図２および図３において、連結部材３０は本体部３２、タモ網枠３４、タモ網枠固定部材３６、タモ柄連結部材３８を主要な部材として構成されている。本体部３２は直方体状の金属製ブロックであり、上端が２つの部分（支持部４０）に別れ、両支持部４０の間に設けられた軸４２にタモ柄連結部材３８が軸支されている。タモ柄連結部材３８には雄ねじ部４４が形成されている。雄ねじ部４４は市販のタモ柄１２の先端部分に形成されている雌ねじ部と螺合するように形成されており、両ねじ部が螺着することでタモ枠１４とタモ柄１２が連結する。
【００１７】
タモ柄連結部材３８は軸４２の周りに約１８０度の角度で回動することができる。連結部材３０にはタモ網連結部材３８を２箇所で固定するためのストッパー機能が備わっている。タモ枠連結部材３８には座金４６が装着されており、座金４６を支持部４０に押し当てることでタモ柄連結部材３８の動きを制限し、所定の位置に固定することができる。座金４６は雄ねじ部４４に螺着させたタモ柄１２の先端部分で支持部４０の前面４８もしくは後面５０に押し当てる。支持部４０には前面４８と後面５０にそれぞれ平行な位置関係となる平面部分が形成されており、何れかの面に座金４６を押し当てることでタモ柄連結部材３８は２箇所で固定することができる。捕獲時には座金４６が後面５０と当たる位置に固定し、保管時や移動時には座金４６が前面４８に当たる位置に固定する。
【００１８】
タモ柄連結部材３８の固定位置は両ねじ部を締めたり緩めたりするだけで簡単に変更することができる。両ねじ部を緩めると座金４６は支持部４０の前面４８もしくは後面５０に押し当てる力から開放される。さらに両ねじ部を緩めて前面４８もしくは後面５０と干渉しない距離まで離れたときに座金４６はストッパーとしての機能を失い、タモ柄連結部材３８を反対側に回動させることができるようになる。両ねじ部を締めることで座金４６は前面４８もしくは後面５０に押し付けられるのでストッパーとしての機能を回復し、タモ柄連結部材３８は先程とは反対側の位置に固定される。
【００１９】
本体部３２の下面には雌ねじ部５２が形成されており、雌ねじ部５２に螺合する雄ねじ５４を用いてタモ枠固定部材３６を本体部３２に固定する。タモ枠固定部材３６の上面と本体部３２の下面には溝５６が形成されており、タモ網枠２０の一部を溝５６の間に挟み込んで固定できるようになっている。
【００２０】
図４乃至図７は別の連結部材の詳細構造を示す図である。連結部材６０は本体部６２、タモ網枠６４、タモ網枠固定部材６６、タモ柄連結部材６８を主要な部材として構成される。本体部６２は直方体状の金属製ブロックであり、上端が２つの部分（支持部７０）に別れ、両支持部７０の間に設けられた軸７２にタモ柄連結部材６８が軸支されている。タモ柄連結部材６８には雄ねじ部７４が形成されている。雄ねじ部７４は市販のタモ柄１２の先端部分に形成されている雌ねじ部と螺合するように形成されており、両ねじ部が螺着することでタモ枠１４とタモ柄１２が連結する。
【００２１】
タモ柄連結部材６８は軸７２の周りに約１８０度の角度で回動することができる。連結部材６０にはタモ網連結部材６８を２箇所で固定するためのストッパー機能が備わっている。タモ柄連結部材６８には軸７２を挟む位置にそれぞれ窪み７６、７８が形成されている。本体部６２には軸７２の真下に円形断面の縦穴８０が形成され、さらに縦穴８０と連通する円形断面の横穴８２が形成されている。縦穴８０には球体８４が内蔵されている。横穴８２には円柱状のストッパー部材８６、コイル状のばね８８が内蔵され、横穴８２の一方は円形の盲板９０で閉鎖されている。ストッパー部材８６の先端にはボタン部９２が形成されており、通常は図４に示すようにばね８８の弾性力によって本体部６２の外側に露出している。ストッパー部材８６には他の部分より径が小さい溝部９４が形成されている。
【００２２】
タモ柄連結部材６８は図４に示すように窪み７８が縦穴８０の真上にくる位置で固定することができる。このとき、縦穴８０に内蔵された球体８４はタモ柄連結部材６８とストッパー部材８６によって上下から挟み込まれ、縦穴８０から突出した上部が窪み７８に係合した状態となっている。
【００２３】
タモ柄連結部材６８の固定位置を変更するときには、図６に示すようにボタン部９２を指で押し込んでストッパー部材８６を盲板９０側に移動させる。縦穴８０の真下に溝部９４がくると球体８４の下部が溝部９４に沈み込み、球体８４と窪み７８の係合が解除される。これによりタモ柄連結部材６８は回動可能になるので、縦穴８０の真上に窪み７６が位置するまで回動させると、球体８４が窪み７６と係合する方向に移動可能になる。球体８４の上部が窪み７６と係合したらボタン部９２から指を離す。ストッパー部材８６はばね８８の弾性力で元の位置に戻り、球体８４と窪み７６の係合状態が維持されることでタモ柄連結部材６８が固定される。
【符号の説明】
【００２４】
１０                タモ網
１２                タモ柄
１４                タモ枠
２０、３４、６４    タモ網枠
２２、３０、６０    連結部材
２４                タモ網
３２、６２          本体部
３６、６６          タモ網枠固定部材
３８、６８          タモ柄連結部材
４６                座金
７６、７８          窪み
８４                球体
８６                ストッパー部材
【図１】
2013230118.tif 000003
【図２】
2013230118.tif 000004
【図３】
2013230118.tif 000005
【図４】
2013230118.tif 000006
【図５】
2013230118.tif 000007
【図６】
2013230118.tif 000008
【図７】
2013230118.tif 000009
【図８】
2013230118.tif 000010